(57)【要約】【課題】  使用時に収納位置から使用位置へと移動される移動部を移動させた後の空間を上記発熱部の放熱用空間として利用して効果的に放熱することを課題とする。【解決手段】撮像レンズ２０と、該撮像レンズによって形成された光学像を電気的信号に変換する撮像素子と、撮像素子から出力された電気的画像信号を記録媒体に記録する記録部３０と、各種信号の処理を行う信号処理部と、画像を表示する表示用液晶パネル５０と、各部に電力を供給するバッテリー６０とを備え、上記表示用液晶パネル又はバッテリーを使用時には収納空間７０から所定の使用位置まで移動させる移動部とし、撮像素子、信号処理部、記録部、バッテリー等の発熱を伴う複数の発熱部によって囲まれた空間を上記移動部の収納空間とし、上記移動部を上記収納位置から引き出した所定の使用位置まで移動させたときに、上記収納空間が上記発熱部に発生した熱の放熱空間となる撮像装置１。【選択図】図５
2007180706.tif 000002
【特許請求の範囲】
【請求項１】
撮像レンズと、該撮像レンズによって形成された光学像を電気的信号に変換する撮像素子と、撮像素子から出力された電気的画像信号を記録媒体に記録する記録部と、各種信号の処理を行う信号処理部と、画像を表示する表示用液晶パネルと、各部に電力を供給するバッテリーとを備えた撮像装置であって、
上記表示用液晶パネル又はバッテリーを使用時には収納空間から所定の使用位置まで移動させる移動部とし、
撮像素子、信号処理部、記録部、バッテリー等の発熱を伴う複数の発熱部によって囲まれた空間を上記移動部の収納空間とし、
上記移動部を上記収納位置から引き出した所定の使用位置まで移動させたときに、上記収納空間が上記発熱部に発生した熱の放熱空間となる
ことを特徴とする撮像装置。
【請求項２】
上記収納空間を囲む壁部材を熱伝導性の良好な材料で形成すると共に、
上記収納空間を外部と連通させる通気口を形成した
ことを特徴とする請求項１に記載の撮像装置。
【請求項３】
上記通気口は開閉自在とされ、
上記移動部が上記収納空間に位置しているときに上記通気口が閉塞され、上記移動部が使用位置に位置しているときに上記通気口が開放される
ことを特徴とする請求項２に記載の撮像装置。
【請求項４】
上記壁部材には収納空間側に張り出した放熱フィンが形成されている
ことを特徴とする請求項２に記載の撮像装置。
【請求項５】
上記移動部は収納位置においてロックされる
ことを特徴とする請求項１に記載の撮像装置。
【請求項６】
上記移動部の筐体の少なくとも一部が熱伝導性の良好な材料で形成され、
移動部が使用位置にある状態において、上記筐体の熱伝導性が良好な部分と上記壁部材とが熱伝導性の良好な伝熱部材によって熱的に接続されている
ことを特徴とする請求項２に記載の撮像装置。
【発明の詳細な説明】
【技術分野】
【０００１】
本発明は新規な撮像装置に関する。詳しくは、撮像素子、メカデッキ等の記録部、回路基板等発熱を伴う部分を複数有するデジタルビデオカメラ、デジタルスチルカメラ等の撮像装置において、使用時に収納位置から使用位置へと移動される移動部を移動させた後の空間を上記発熱部の放熱用空間とする技術に関する。
【背景技術】
【０００２】
デジタルビデオカメラやデジタルスチルカメラ等の撮像装置にあって、撮像素子、メカデッキ等の記録部、回路基板等発熱を伴う部分からの発熱を効果的に放熱することは大きな課題である。
【０００３】
上記した発熱部で発生した熱を効率よく外部へ逃がすには、熱を発熱部から低温部へ移動させ、さらにその熱を全体に分散させて逃がす必要がある。しかしながら、上記熱を、例えば、外筐部に逃がすと、外筐部自体が熱くなってしまうため、手で触れる可能性のある部分には熱を逃がすことが出来ない。そのため、外筐部の一部に金属などの伝・放熱効率の良好な材料を使用することが難しい。
【０００４】
また、外筐部の側方へ開閉可能に構成された表示用液晶パネルを有する撮像装置にあって、外筐部のうち液晶表示パネルが収納される部分に熱を逃がすことも考えられるが、この場合、液晶表示パネルを開かない限り、当該部分に蓄積された熱を外部に逃がすことが出来ない。しかも、液晶パネルの使用状態によって、異なる放熱量となるため、効果的な放熱設計とはいえない。
【０００５】
さらに、装置の中央部付近に煙突用の空間を形成し、該空間を介して放熱するものもあったが、煙突用空間のためのスペースが必要となり、装置が大型化するという問題があった。
【０００６】
また、特許文献１にはメカデッキ（記録部）と回路基板との間にバッテリーを配置して、２つの発熱部が直接に隣接することを回避しているが、かかる構造では、断熱にはなるが、放熱の効果はない。
【０００７】
【特許文献１】特開平９−１８７５９号公報
【発明の開示】
【発明が解決しようとする課題】
【０００８】
上記したように、従来にあっては、複数ある発熱部の熱を効果的に外部へ放熱することが難しく、発熱による誤動作や故障の危険性を効果的に回避する技術が望まれていた。
【０００９】
そこで、本発明は、上記した事情に鑑み、使用時に収納位置から使用位置へと移動される移動部を移動させた後の空間を上記発熱部の放熱用空間として利用して効果的に放熱することを課題とする。
【課題を解決するための手段】
【００１０】
本発明撮像装置は、上記した課題を解決するために、表示用液晶パネル又はバッテリーを使用時には収納空間から所定の使用位置まで移動させる移動部とし、撮像素子、信号処理部、記録部、バッテリー等の発熱を伴う複数の発熱部によって囲まれた空間を上記移動部の収納空間とし、上記移動部を上記収納位置から引き出した所定の使用位置まで移動させたときに、上記収納空間が上記発熱部に発生した熱の放熱空間となるようにしたものである。
【００１１】
従って、本発明撮像装置にあっては、使用により発熱部に発生した熱は放熱空間を介して放熱される。
【発明の効果】
【００１２】
本発明撮像装置は、撮像レンズと、該撮像レンズによって形成された光学像を電気的信号に変換する撮像素子と、撮像素子から出力された電気的画像信号を記録媒体に記録する記録部と、各種信号の処理を行う信号処理部と、画像を表示する表示用液晶パネルと、各部に電力を供給するバッテリーとを備えた撮像装置であって、上記表示用液晶パネル又はバッテリーを使用時には収納空間から所定の使用位置まで移動させる移動部とし、撮像素子、信号処理部、記録部、バッテリー等の発熱を伴う複数の発熱部によって囲まれた空間を上記移動部の収納空間とし、上記移動部を上記収納位置から引き出した所定の使用位置まで移動させたときに、上記収納空間が上記発熱部に発生した熱の放熱空間となることを特徴とする。
【００１３】
従って、本発明撮像装置にあっては、使用により発熱部に発生した熱は放熱空間を介して放熱される。そして、上記放熱空間は不使用時に移動部を収納しておく収納空間を移動部が使用位置へと移動した後に放熱空間として利用するものであるので、上記放熱空間を設けることにより、装置が大型化することがない。また、外筐部を介して放熱するものではないので、外筐部に手が触れても熱による危険はない。
【００１４】
請求項２に記載した発明にあっては、上記収納空間を囲む壁部材を熱伝導性の良好な材料で形成すると共に、上記収納空間を外部と連通させる通気口を形成したので、発熱部に発生した熱が効率よく収納空間へと放熱され、且つ、収納空間へと放熱された熱は対流により速やかに外部へと放出される。
【００１５】
請求項３に記載した発明にあっては、上記通気口は開閉自在とされ、上記移動部が上記収納空間に位置しているときに上記通気口が閉塞され、上記移動部が使用位置に位置しているときに上記通気口が開放されるので、使用時以外における収納空間へのゴミ等の侵入が防止される。
【００１６】
請求項４に記載した発明にあっては、上記壁部材には収納空間側に張り出した放熱フィンが形成されているので、壁部材の収納空間への放熱面積が増大し、収納空間への放熱が速やかに行われる。
【００１７】
請求項５に記載した発明にあっては、上記移動部は収納位置においてロックされるので、移動部が不用意に収納空間から飛び出してくることがない。
【００１８】
請求項６に記載した発明にあっては、上記移動部の筐体の少なくとも一部が熱伝導性の良好な材料で形成され、移動部が使用位置にある状態において、上記筐体の熱伝導性が良好な部分と上記壁部材とが熱伝導性の良好な伝熱部材によって熱的に接続されているので、発熱部に発生した熱が移動部の筐体を介しても放熱され、移動部に発生した熱の放熱がさらに速やかに為される。
【発明を実施するための最良の形態】
【００１９】
以下に、本発明撮像装置を実施するための最良の形態について図面を参照して説明する。
【００２０】
図１乃至図６に本発明撮像装置の第１の実施の形態を示す。なお、本明細書においては、第１の実施の形態及びその他の実施の形態はいずれも本発明をビデオカメラに適用した実施の形態を示す。
【００２１】
図１及び図２は不使用状態、すなわち、撮影や撮影済み画像の再生を行っていない状態を示すものである。
【００２２】
ビデオカメラ１は、外筐部１０を有し、該外筐部１０内に所要各部が収納されて構成される。上記外筐部１０内には撮像レンズ部２０、記録部３０、信号処理部４０、液晶表示パネル５０及びバッテリー６０が収納されている。
【００２３】
撮像レンズ部２０は、詳細の図示は省略するが、略筒状の鏡筒にレンズ等の光学要素、アイリス、シャッター機構等が組み込まれ、且つ、鏡筒の後端部にはＣＣＤ（Chare Coupled Device）、ＣＭＯＳ（Complementary Metal-Oxide Semiconductor）等の固体撮像素子が配置されている。撮像レンズ部２０においては、光学要素によって形成された光学像を固体撮像素子によって電気的信号に変換し、該電気的信号が信号処理部４０によって処理された後、記録部３０によって記録され、また、液晶表示パネル５０に画像として表示される。そして、固体撮像素子は光学像の電気的信号への変換動作に伴って発熱をする。特に、最近のメガピクセル規模の高画素数の固体撮像素子にあっては、その発熱量もかなりのものがある。
【００２４】
信号処理部４０は、主として、回路基板上に構成された電子回路として構成されており、上記した固体撮像素子から出力される電気的信号の各種処理、例えば、所定のフォーマットの画像信号への変換、各種エンコードやデコード等が為される。この信号処理部４０も動作に伴って発熱をする。
【００２５】
記録部３０は、信号処理部４０によって処理済みの画像信号を所定の記録媒体に記録する。なお、記録媒体としては、磁気テープ、光ディスク、光磁気ディスク、ハードディスク、固体メモリ等、種々のものが適用可能である。この記録部３０も動作に伴って発熱する。
【００２６】
液晶表示パネル５０は、撮像レンズ部２０で撮像された画像をスルー画像としてモニターしたり、記録部３０によって一旦記録した画像信号に基づく画像を再生画像として表示するものである。
【００２７】
バッテリー６０は、上記各部２０、３０、４０、５０等に電力を供給するものである。このバッテリー６０も、電力を消費することによって発熱を伴う。
【００２８】
そして、撮像レンズ部２０は外筐部１０のうち前端部上方にやや前方へ突出するように配置され、記録部３０と信号処理部４０は撮像レンズ部２０の後方で左右にやや離間した状態で配置され、バッテリー６０は撮像レンズ部２０の下方でかつ記録部３０及び信号処理部４０の前側に配置される。そして、外筐部１０の内部で、前方を撮像レンズ部２０及びバッテリー６０で限定され、側方を記録部３０と信号処理部４０とによって限定された、上方から見て前後に長く側方から見てほぼ矩形をした収納空間７０が形成される。
【００２９】
上記収納空間７０はその前後及び左右側面を壁部材７１によって仕切られている。そして、上記壁部材７１は熱伝導性が良好な材料、例えば、アルミニウム等の金属板で形成されている。そして、上記壁部材７１には、必要に応じて、上記撮像レンズ部２０、記録部３０、信号処理部４０、バッテリー６０を収納している空間と上記収納空間７０との間を連通させる図示しない小孔が形成される。また、必要に応じ、上記各部２０、３０、４０、６０と壁部材７１との間を、例えば、放熱シートを介在させる等の手段によって、熱的に接続しても良い。上記外筐部１０のうち上記収納空間７０の底面に相当する部分には、必要に応じて、通気口７２が形成される。さらに、壁部材７１には放熱面積を増加させるための収納空間７０側へ突出した複数の放熱用フィンを形成しても良い。この場合、放熱用フィンは、液晶表示パネル５０を収納するときには邪魔にならないように折り畳まれ、液晶表示パネル５０が収納空間７０から出たときに、収納空間７０側に突出するようにしておくと良い。
【００３０】
上記液晶表示パネル５０は、不使用時には、図１及び図２に示すように、上記収納空間７０内に収納されている。そして、図示しない蓋体によって、上記収納空間７０の上面が覆われる。そして、使用時には、図５及び図６に示すように、上記収納空間７０から引き出される。そのためには、先ず、液晶表示パネル５０を回動軸５１を中心にして、図４に矢印で示す方向に回動させて、表示面５２の長手方向が前後に沿う向きとする。なお、液晶表示パネル５０の図３及び図４に示す位置までの移動は、例えば、図１及び図２に示す状態の液晶表示パネル５０を上方から下方へい押圧することによってロックが外れて、予め付勢されていた力によって、図３及び図４に示す位置まで出てくるようにしても良いし、あるいは、電源の投入によって電動機構によって自動的に図３及び図４に示す位置まで出てくるようにしても良い。
【００３１】
しかる後、図３及び図４に示す状態から図５に矢印で示すように回動させて、表示面５２が後方を向く向きとする。そして、通常、液晶表示パネル５０を図５及び図６に示す向きとした状態で撮影が行われる。
【００３２】
そして、撮影が行われる場合は、上記したように、液晶表示パネル５０が図５及び図６に示す使用位置へと移動されるため、収納空間７０は空っぽの煙突状の空間となる。そこで、撮影に伴って、撮像レンズ部２０の固体撮像素子、記録部３０、信号処理部４０、バッテリー６０が発熱するが、上記各部に生じた熱は液晶表示パネル５０のための収納空間７０を囲んでいる壁部材７１へと伝わり、また、壁部材７１に形成された小孔を介して収納空間７０へと出ていく。そして、壁部材７１に伝わった熱は収納空間７０へと放出され、これによって、収納空間７０内の空気が暖められる。そして、収納空間７０の上面は液晶表示パネル５０が引き出されたまま閉じられないようにしているか、又は、液晶表示パネル５０が引き出された後は閉じられるようにしている場合には閉塞部材の一部に上部通気孔を設けておくことによって、収納空間７０内で熱せられた空気は収納空間７０の開放された上面又は上部通気孔から外部に出ていき、替わりに、下部通気孔７２から外部の空気が入ってくる。すなわち、収納空間７０に外部の空気と入れ替わる対流が生じるので、上記各部に生じた熱は収納空間７０を介して外部に放出される。
【００３３】
上記しビデオカメラ１にあっては、撮像レンズ部２０の固体撮像素子、記録部３０、信号処理部４０、バッテリー６０に発生する熱が収納空間７０を介して効果的に放熱される。しかも、上記収納空間７０は不使用時に液晶表示パネル５０を収納しておく空間として必要なもので、かかる空間を放熱用の空間として利用するので、放熱空間を設けることによってことさらにビデオカメラが大型化することもなく、また、コストアップになることもない。
【００３４】
図７乃至図１２に本発明撮像装置の第２の実施の形態を示す。
【００３５】
この第２の実施の形態に係るビデオカメラ１Ａは、電源スイッチ、撮影オン・オフスイッチ等の操作スイッチ類が配設された操作部ブロック８０が液晶表示パネル５０を収納する収納空間７０の上面を覆う位置（図７、図８参照）に配設され、液晶表示パネル５０を図１１及び図１２に示す使用位置へと移動させるときに、上記操作部ブロック８０が図９に示す矢印方向スライドして上記収納空間７０の上面を開放するようになっている。
【００３６】
また、この実施の形態１Ａにあっては、液晶表示パネル５０は収納空間７０からはスライドによって図１０に矢印で示すように上方へ引き出され、それから、図１１の矢印で示すように回動されて図１１及び図１２で示す使用位置に移動される。そのために、収納空間７０の前部には伸縮可能な案内部材７３が配置されており、液晶表示パネル５０は案内部材７３に案内されて上下にスライドされ、且つ、上端部まで移動したときは、案内部材７３に対して回動されるように構成されている。
【００３７】
なお、その他の構成で上記第１の実施の形態１におけると同様の部分には第１の実施の形態１の各部に付した符号と同じ符号を付して説明は省略する。
【００３８】
この第２の実施の形態１Ａでは、第１の実施の形態１におけると同様に収納空間７０内に生じる対流によって放熱するほか、上記案内部材７３や液晶表示パネル５０の筐体を熱伝導性の良好な材料で形成し、上記壁部材７１、案内部材７３及び液晶表示パネル５０の筐体を熱的に接続しておくことにより、案内部材７３及び液晶表示パネル５０の筐体を介しても放熱される。
【００３９】
図１３乃至図１８に本発明撮像装置の第３の実施の形態を示す。
【００４０】
この第３の実施の形態に係るビデオカメラ１Ｂにあっては、液晶表示パネル５０は後方へ引き出されるように構成されている。そして、収納空間７０の後面７４が開放され、また、収納空間７０の上面に相当する外筐部１０には上部通気孔７５が形成されている。
【００４１】
また、操作部ブロック８０は上記収納空間７０の後面７４を開閉するように位置される。
【００４２】
そして、上記ビデオカメラ１Ｂにおいて、使用時には、液晶表示パネル５０が収納されている収納空間７０の後面７４を開放するべく、操作部ブロック８０が図１５に矢印で示す方向へスライドされる。それから、液晶表示パネル５０が図１６に矢印で示すように後方へ引き出され、該引き出された位置から図１７で矢印で示すように回動されて図１７で示す使用位置に移動される。
【００４３】
そして、上記各部で発生した熱は、上記各実施の形態におけると同様に、収納空間７０を介して放熱される。なお、上部通気孔７５は使用時のみに開放されるようにすることが好ましい。
【００４４】
図１９及び図２０に本発明撮像装置の第４の実施の形態を示す。
【００４５】
この第４の実施の形態に係るビデオカメラ１Ｃは、バッテリー６０を移動部としたものである。そのため、撮像レンズ部２０は外筐部１０の前方に向かって右前部に配置され、該撮像レンズ部２０の後方に記録部３０が、撮像レンズ部２０の左側に信号処理部４０が、それぞれ配置され、また、液晶表示パネル５０が外筐部１０の左側面を占めるように配置される。これによって、記録部３０と液晶表示パネル５０との間で、且つ、信号処理部４０の後方に収納空間７０が形成され、該収納空間７０内にバッテリー６０が収納されるようになっている。
【００４６】
バッテリー６０はバッテリーブロック６１に対して挿脱可能にされており、バッテリーブロック６１が収納空間７０に収納された位置（図１９参照）と収納空間７０から後方へ引き出された位置（図２０参照）との間を移動可能に構成されている。
【００４７】
そして、使用時に、バッテリーブロック６１が図２０に示すように収納空間７０から後方へ引き出されると、該バッテリーブロック６１を把持して撮影することが出来るようになる。なお、バッテリブロック６１へのバッテリー６０の挿脱は、バッテリーブロック６１の位置の如何に関わらず行うことが出来る。
【００４８】
バッテリーブロック６１が後方へ引き出されると、大きな空間である収納空間７０が空になるので、上記した各実施の形態と同様に、該収納空間７０を介して放熱される。
【００４９】
なお、上記した、収納空間７０を囲む壁部材の材料、通気孔の設置、通気孔の開閉、等に関しては、この第４の実施の形態においても適宜に適用することが出来る。
【００５０】
図２１及び図２２に示した第５の実施の形態に係るビデオカメラ１Ｄにあっては、バッテリーブロック６１の引き出し方向が下方である点が第４の実施の形態１Ｃと異なり、その他の点では第４の実施の形態と同様であるので、詳細な説明は省略する。
【００５１】
なお、上記した各実施の形態において示された各部の具体的形状は、何れも本発明を実施するに際して行う具体化のほんの一例を示したものに過ぎず、これらによって本発明の技術的範囲が限定的に解釈されることがあってはならないものである。
【図面の簡単な説明】
【００５２】
【図１】図２乃至図６と共に本発明撮像装置の第１の実施の形態を示すものであり、本図は不使用状態を上方から見て示す各部の配置図である。
【図２】不使用状態を被写体に向かった状態の左側方（以下、単に「左側方」という）から見た各部の配置図である。
【図３】液晶表示パネルを使用位置へと移動させる途中の状態を上方から見て示す各部の配置図である。
【図４】液晶表示パネルを使用位置へと移動させる途中の状態を左側方から見て示す各部の配置図である。
【図５】液晶表示パネルが使用位置に到達した状態を上方から見て示す各部の配置図である。
【図６】液晶表示パネルが使用位置に到達した状態を左側方から見て示す各部の配置図である。
【図７】図８乃至図１２と共に本発明撮像装置の第２の実施の形態を示すものであり、本図は不使用状態を上方から見て示す各部の配置図である。
【図８】不使用状態を左側方から見た各部の配置図である。
【図９】液晶表示パネルを使用位置へと移動させる途中の状態を上方から見て示す各部の配置図である。
【図１０】液晶表示パネルを使用位置へと移動させる途中の状態を左側方から見て示す各部の配置図である。
【図１１】液晶表示パネルが使用位置に到達した状態を上方から見て示す各部の配置図である。
【図１２】液晶表示パネルが使用位置に到達した状態を左側方から見て示す各部の配置図である。
【図１３】図１４乃至図１８と共に本発明撮像装置の第３の実施の形態を示すものであり、本図は不使用状態を上方から見て示す各部の配置図である。
【図１４】不使用状態を左側方から見た各部の配置図である。
【図１５】液晶表示パネルを使用位置へと移動させる途中の状態を上方から見て示す各部の配置図である。
【図１６】液晶表示パネルを使用位置へと移動させる途中の状態を左側方から見て示す各部の配置図である。
【図１７】液晶表示パネルが使用位置に到達した状態を上方から見て示す各部の配置図である。
【図１８】液晶表示パネルが使用位置に到達した状態を左側方から見て示す各部の配置図である。
【図１９】図２０と共に本発明撮像装置の第４の実施の形態を示すものであり、本図は不使用状態を上方から見て示す各部の配置図である。
【図２０】バッテリーを使用位置へと移動させた状態を左側方から見て示す各部の配置図である。
【図２１】図２２と共に本発明撮像装置の第５の実施の形態を示すものであり、本図は不使用状態を左側方から見て示す各部の配置図である。
【図２２】バッテリーを使用位置へと移動させた状態を左側方から見て示す各部の配置図である。
【符号の説明】
【００５３】
１…ビデオカメラ（撮像装置）、１Ａ…ビデオカメラ（撮像装置）、１Ｂ…ビデオカメラ（撮像装置）、１Ｃ…ビデオカメラ（撮像装置）、１Ｄ…ビデオカメラ（撮像装置）、２０…撮像レンズ部（撮像レンズ）、３０…記録部、４０…信号処理部、５０…液晶表示パネル、６０…バッテリー、７０…収納空間、７１…壁部材、７２…通気孔、７５…通気孔
【図１】
2007180706.tif 000003
【図２】
2007180706.tif 000004
【図３】
2007180706.tif 000005
【図４】
2007180706.tif 000006
【図５】
2007180706.tif 000007
【図６】
2007180706.tif 000008
【図７】
2007180706.tif 000009
【図８】
2007180706.tif 000010
【図９】
2007180706.tif 000011
【図１０】
2007180706.tif 000012
【図１１】
2007180706.tif 000013
【図１２】
2007180706.tif 000014
【図１３】
2007180706.tif 000015
【図１４】
2007180706.tif 000016
【図１５】
2007180706.tif 000017
【図１６】
2007180706.tif 000018
【図１７】
2007180706.tif 000019
【図１８】
2007180706.tif 000020
【図１９】
2007180706.tif 000021
【図２０】
2007180706.tif 000022
【図２１】
2007180706.tif 000023
【図２２】
2007180706.tif 000024